(57)【要約】【課題】  ユーザが位置するエリアに応じて最適な通話相手端末を呼出し可能とする。【解決手段】  所定のエリアを一意に識別するエリアＩＤを周期的に送信するエリアＩＤ送信装置１と、エリアＩＤと、エリアＩＤの示すエリアに関連する少なくとも１つの電話番号とを対応づけた変換テーブルを保持する変換装置３と、エリアＩＤ送信装置１からエリアＩＤを受信し、受信したエリアＩＤに対応する電話番号を変換装置３に問合せることで電話番号を取得し、取得した電話番号を用いて発信を行う移動通信端末２とを備える。【選択図】    図１
2007329871.tif 000002
【特許請求の範囲】
【請求項１】
所定のエリアを一意に識別するエリア識別子を周期的に送信するエリア識別子送信装置と、
前記エリア識別子と、前記エリア識別子の示すエリアに関連する少なくとも１つの電話番号とを対応づけた変換テーブルを保持する変換装置と、
前記エリア識別子送信装置から前記エリア識別子を受信し、受信したエリア識別子に対応する電話番号を前記変換装置に問合せることで電話番号を取得し、取得した電話番号を用いて発信を行う移動通信端末
とを備えることを特徴とする通信システム。
【請求項２】
前記移動通信端末は、前記変換装置から複数の電話番号を取得した場合、ユーザの選択操作によって選択された電話番号、又は自動的に選択された電話番号のいずれか一方を用いて発信を行うことを特徴とする請求項１に記載の通信システム。
【請求項３】
所定のエリアを一意に識別するエリア識別子と、前記エリア識別子の示すエリアに関連する少なくとも１つの電話番号とを対応づけた変換テーブルを保持する変換装置と通信する移動通信端末であって、
前記エリア識別子を取得するエリア識別子取得部と、
前記取得したエリア識別子に対応する電話番号を前記変換装置に問合せることで電話番号を取得する電話番号問合せ部と、
前記取得した電話番号を用いて発信を行う通信制御部
とを備えることを特徴とする移動通信端末。
【請求項４】
前記通信制御部は、前記変換装置から複数の電話番号を取得した場合、ユーザの選択操作によって選択された電話番号、又は自動的に選択した電話番号のいずれか一方を用いて発信を行うことを特徴とする請求項３に記載の移動通信端末。
【請求項５】
所定のエリアを一意に識別するエリア識別子と、前記エリア識別子の示すエリアに関連する少なくとも１つの電話番号とを対応づけた第１変換テーブルを保持する変換装置と通信する移動通信端末であって、
自端末の位置を示す位置情報と前記エリア識別子とを対応づけた第２変換テーブルを保持すると共に、前記位置情報を検出し、前記第２変換テーブルに基づいて、前記検出した位置情報を前記エリア識別子に変換することで前記エリア識別子を取得するエリア識別子取得部と、
前記取得したエリア識別子に対応する電話番号を前記変換装置に問合せることで電話番号を取得する電話番号問合せ部と、
前記取得した電話番号を用いて発信を行う通信制御部
とを備えることを特徴とする移動通信端末。
【請求項６】
移動通信端末と通信する変換装置であって、
所定のエリアを一意に識別するエリア識別子と少なくとも１つの電話番号とを対応づけた変換テーブルを記憶する変換テーブル記憶部と、
前記移動通信端末が取得したエリア識別子を前記移動通信端末から受信する受信部と、
前記変換テーブルに基づき、前記受信したエリア識別子に対応づけられた電話番号を取得する変換処理部と、
前記取得された電話番号を前記移動通信端末へ送信する送信部
とを備えることを特徴とする変換装置。
【請求項７】
移動通信端末と通信する変換装置であって、
前記移動通信端末の位置を示す位置情報と所定のエリアを一意に識別するエリア識別子とを対応づけた第１変換テーブルと、前記エリア識別子と少なくとも１つの電話番号とを対応づけた第２変換テーブルとを記憶する変換テーブル記憶部と、
前記移動通信端末が取得した位置情報を前記移動通信端末から受信する受信部と、
前記第１変換テーブルに基づき、前記受信した位置情報を対応するエリア識別子に変換すると共に、前記第２変換テーブルに基づき、前記変換して得られたエリア識別子を対応する電話番号に変換することで電話番号を取得する変換処理部と、
前記取得された電話番号を前記移動通信端末へ送信する送信部
とを備えることを特徴とする変換装置。
【請求項８】
所定のエリアを一意に識別するエリア識別子を記憶するエリア識別子記憶部と、
前記エリア識別子を周期的に送信するエリア識別子送信部
とを備えることを特徴とするエリア識別子送信装置。
【請求項９】
移動通信端末と、前記移動通信端末と通信する変換装置とを具備する通信システムに適用される通信方法であって、
エリア識別子送信装置が、所定のエリアを一意に識別するエリア識別子を送信するステップと、
前記移動通信端末が、前記エリア識別子送信装置から前記エリア識別子を受信し、受信したエリア識別子を前記変換装置へ送信するステップと、
前記変換装置が、前記エリア識別子と前記エリア識別子の示すエリアに関連する少なくとも１つの電話番号とを対応づけた変換テーブルに基づき、前記移動通信端末から受信したエリア識別子に対応づけられた電話番号を前記移動通信端末へ送信するステップと、
前記移動通信端末が、前記変換装置から受信した電話番号を用いて発信を行うステップ
とを含むことを特徴とする通信方法。
【発明の詳細な説明】
【技術分野】
【０００１】
本発明は、ユーザの位置するエリアに応じたサービスを提供するための通信システム、移動通信端末、変換装置、エリア識別子送信装置、及び通信方法に関する。
【背景技術】
【０００２】
携帯電話等の移動通信端末では、通話相手端末の電話番号を指定して発呼（発信）を行う。また、番号変換装置が内線番号と電話番号とが対応づけられた変換テーブルを記憶し、内線番号を上記変換テーブルの内容に従って電話番号に変換し、変換後の電話番号を交換局に返信することで、移動通信端末が電話番号とは異なる内線番号によって通話相手端末を呼出す手法が提案されている（特許文献１参照。）。
【特許文献１】特開２００３−３１９４２７号公報
【発明の開示】
【発明が解決しようとする課題】
【０００３】
しかしながら、上述した背景技術においては、発信側で相手の電話番号等を知っている必要があり、発信側で相手先電話番号を知らない場合は通話をすることができない。このため、広い店舗や駅の構内において、店員や職員等を呼出したいとき、最寄りの店員や職員等を、移動通信端末を利用して呼出すことができなかった。したがって、ユーザが位置するエリアに応じて最適な通話相手端末を呼出し可能とするシステムの実現が望まれている。
【０００４】
上記問題点を鑑み、本発明は、ユーザが位置するエリアに応じて最適な通話相手端末を呼出し可能とする通信システム、移動通信端末、変換装置、エリア識別子送信装置、及び通信方法を提供する。
【課題を解決するための手段】
【０００５】
上記目的を達成するために、本発明の第１の特徴は、所定のエリアを一意に識別するエリア識別子を周期的に送信するエリア識別子送信装置と、エリア識別子と、エリア識別子の示すエリアに関連する少なくとも１つの電話番号とを対応づけた変換テーブルを保持する変換装置と、エリア識別子送信装置からエリア識別子を受信し、受信したエリア識別子に対応する電話番号を変換装置に問合せることで電話番号を取得し、取得した電話番号を用いて発信を行う移動通信端末とを備える通信システムであることを要旨とする。
【０００６】
この特徴によれば、移動通信端末が位置するエリアに応じて最適な通話相手端末を呼出し可能となる。
【０００７】
第２の特徴は、第１の特徴に係る通信システムにおいて、移動通信端末は、変換装置から複数の電話番号を取得した場合、ユーザの選択操作によって選択された電話番号、又は自動的に選択された電話番号のいずれか一方を用いて発信を行うことを要旨とする。
【０００８】
この特徴によれば、どの電話番号に発信するかをユーザが選択可能となり、利便性を向上させることができる。また、どの電話番号に発信するかを自動的に選択することにより、通話相手端末との接続を確実に確立することができる。
【０００９】
第３の特徴は、所定のエリアを一意に識別するエリア識別子と、エリア識別子の示すエリアに関連する少なくとも１つの電話番号とを対応づけた変換テーブルを保持する変換装置と通信する移動通信端末であって、エリア識別子を取得するエリア識別子取得部と、取得したエリア識別子に対応する電話番号を変換装置に問合せることで電話番号を取得する電話番号問合せ部と、取得した電話番号を用いて発信を行う通信制御部とを備える移動通信端末であることを要旨とする。
【００１０】
この特徴によれば、移動通信端末が位置するエリアに応じて最適な通話相手端末を呼出し可能となる。
【００１１】
第４の特徴は、第３の特徴に係る移動通信端末であって、通信制御部は、変換装置から複数の電話番号を取得した場合、ユーザの選択操作によって選択された電話番号、又は自動的に選択した電話番号のいずれか一方を用いて発信を行うことを要旨とする。
【００１２】
この特徴によれば、どの電話番号に発信するかをユーザが選択可能となり、利便性を向上させることができる。また、どの電話番号に発信するかを自動的に選択することにより、通話相手端末との接続を確実に確立することができる。
【００１３】
第５の特徴は、所定のエリアを一意に識別するエリア識別子と、エリア識別子の示すエリアに関連する少なくとも１つの電話番号とを対応づけた第１変換テーブルを保持する変換装置と通信する移動通信端末であって、自端末の位置を示す位置情報とエリア識別子とを対応づけた第２変換テーブルを保持すると共に、位置情報を検出し、第２変換テーブルに基づいて、検出した位置情報をエリア識別子に変換することでエリア識別子を取得するエリア識別子取得部と、取得したエリア識別子に対応する電話番号を変換装置に問合せることで電話番号を取得する電話番号問合せ部と、取得した電話番号を用いて発信を行う通信制御部とを備える移動通信端末であることを要旨とする。
【００１４】
この特徴によれば、移動通信端末が、例えばＧＰＳ等を用いて位置情報からエリア識別子を得ることにより、エリア識別子の送信装置を設置することなく、移動通信端末が位置するエリアに応じて最適な通話相手端末を呼出し可能となる。
【００１５】
第６の特徴は、移動通信端末と通信する変換装置であって、所定のエリアを一意に識別するエリア識別子と少なくとも１つの電話番号とを対応づけた変換テーブルを記憶する変換テーブル記憶部と、移動通信端末が取得したエリア識別子を移動通信端末から受信する受信部と、変換テーブルに基づき、受信したエリア識別子に対応づけられた電話番号を取得する変換処理部と、取得された電話番号を移動通信端末へ送信する送信部とを備える変換装置であることを要旨とする。
【００１６】
この特徴によれば、移動通信端末が位置するエリアに応じて最適な通話相手端末を呼出し可能となる。
【００１７】
第７の特徴は、移動通信端末と通信する変換装置であって、移動通信端末の位置を示す位置情報と所定のエリアを一意に識別するエリア識別子とを対応づけた第１変換テーブルと、エリア識別子と少なくとも１つの電話番号とを対応づけた第２変換テーブルとを記憶する変換テーブル記憶部と、移動通信端末が取得した位置情報を移動通信端末から受信する受信部と、第１変換テーブルに基づき、受信した位置情報を対応するエリア識別子に変換すると共に、第２変換テーブルに基づき、変換して得られたエリア識別子を対応する電話番号に変換することで電話番号を取得する変換処理部と、取得された電話番号を移動通信端末へ送信する送信部とを備える変換装置であることを要旨とする。
【００１８】
この特徴によれば、移動通信端末の位置に応じて最適な通話相手端末を呼出し可能となる。
【００１９】
第８の特徴は、所定のエリアを一意に識別するエリア識別子を記憶するエリア識別子記憶部と、エリア識別子を周期的に送信するエリア識別子送信部とを備えるエリア識別子送信装置であることを要旨とする。
【００２０】
この特徴によれば、エリア毎に異なるエリア識別子を送信することで、移動通信端末等は自端末の位置するエリアを容易に判別可能となる。
【００２１】
第９の特徴は、移動通信端末と、移動通信端末と通信する変換装置とを具備する通信システムに適用される通信方法であって、エリア識別子送信装置が、所定のエリアを一意に識別するエリア識別子を送信するステップと、移動通信端末が、エリア識別子送信装置からエリア識別子を受信し、受信したエリア識別子を変換装置へ送信するステップと、変換装置が、エリア識別子とエリア識別子の示すエリアに関連する少なくとも１つの電話番号とを対応づけた変換テーブルに基づき、移動通信端末から受信したエリア識別子に対応づけられた電話番号を移動通信端末へ送信するステップと、移動通信端末が、変換装置から受信した電話番号を用いて発信を行うステップとを含む通信方法であることを要旨とする。
【００２２】
この特徴によれば、移動通信端末が位置するエリアに応じて最適な通話相手端末を呼出し可能となる。
【発明の効果】
【００２３】
本発明によれば、ユーザが位置するエリアに応じて最適な通話相手端末を呼出し可能とする通信システム、移動通信端末、変換装置、エリア識別子送信装置、及び通信方法を提供できる。
【発明を実施するための最良の形態】
【００２４】
次に、図面を参照して、本発明の実施形態を説明する。以下の実施形態における図面の記載において、同一又は類似の部分には同一又は類似の符号を付している。
【００２５】
（通信システム）
本発明の第１実施形態に係る通信システムは、図１（ａ）に示すように、エリア識別子（以下、「エリアＩＤ」）送信装置１と、変換装置３と、移動通信端末２，４とを備える。図１（ａ）の例では、移動通信端末２は発信側であり、移動通信端末４は着信側であるとしている。移動通信端末２，４は、無線による音声通信機能を有する端末である。移動通信端末２，４としては、携帯電話端末を前提としているが、ＰＨＳ（Personal Handyphone System）端末又は無線ＩＰ電話端末等であっても良い。ただし、着信側の移動通信端末４は、移動通信可能な構成である必要はなく、固定電話端末等の固定の通信端末であっても良い。
【００２６】
移動通信端末２は、移動通信網５を介して変換装置４及び移動通信端末４と通信する。一例として、移動通信網５は、位置制御、呼制御、及びサービス制御等を行うコアネットワーク（ＣＮ）と、無線技術を制御・終端する無線アクセスネットワーク（ＲＡＮ）等を備えている。
【００２７】
エリアＩＤ送信装置１は、所定のエリアＡ１を一意に識別するエリアＩＤを周期的に送信する。一例として、エリアＩＤ送信装置１は、広い店舗や駅の構内において複数設置される。エリアＩＤ送信装置１としては、例えば自律発信可能なアクティブ型のＲＦタグが使用できる。このため、移動通信端末２は、ＲＦタグのタグＩＤをエリアＩＤとして利用可能である。
【００２８】
変換装置３は、エリアＩＤと、エリアＩＤの示すエリアＡ１に関連する電話番号とを対応づけた変換テーブルを保持する。ここで、「エリアＡ１に関連する電話番号」とは、例えばエリアＡ１内に位置する通信端末の電話番号、及びエリアＡ１の近傍に位置する通信端末の電話番号等を意味する。
【００２９】
移動通信端末２は、エリアＩＤ送信装置１からエリアＩＤを受信し、受信したエリアＩＤに対応する電話番号を変換装置３に問合せる。この結果、移動通信端末２は、エリアＩＤに対応する電話番号を取得し、取得した電話番号を用いて、移動通信端末４に対して発信を行う。
【００３０】
このようにして、移動通信端末２が、移動通信端末４の電話番号を認識していない場合であっても、移動通信端末２の近傍の移動通信端末４に対して発信を行うことを可能としている。また、エリアＩＤに対応づけられた通信端末（移動通信端末４）をそのエリアＩＤの示すエリアＡ１に配置することで、移動通信端末２は、自端末の近傍の通信端末に対して発信を行うことができる。
【００３１】
（通信方法）
次に、図１（ｂ）に示すシーケンス図を参照して、図１（ａ）の通信システムに適用される通信方法を説明する。
【００３２】
ステップＳ１０１において、エリアＩＤ送信装置１は、エリアＩＤを送信する。エリアＩＤ送信装置１は、無線（電波）に限らず、赤外線等によってエリアＩＤを送信してもかまわない。また、エリアＩＤの送信周期は、エリアＡ１内に移動通信端末２が存在する平均的な時間（平均滞在時間）よりも短いことが好ましい。
【００３３】
ステップＳ１０２において、移動通信端末２は、ステップＳ１０１で送信されたエリアＩＤを受信する。移動通信端末２が実行するエリアＩＤ受信処理の詳細については後述する。
【００３４】
ステップＳ１０３において、移動通信端末２は、ステップＳ１０２で受信したエリアＩＤを含む電話番号問合せメッセージを変換装置３へ送信する。具体的には、移動通信端末２は、ユーザからのエリアＩＤ送信操作、又はエリアＩＤの受信を契機として、エリアＩＤの送信を実行する。
【００３５】
ステップＳ１０４において、変換装置３は、ステップＳ１０３で受信したエリアＩＤに対応する電話番号を取得することで、エリアＩＤを電話番号に変換する。
【００３６】
ステップＳ１０５において、変換装置３は、ステップＳ１０４で得られた電話番号を移動通信端末２へ送信する。
【００３７】
ステップＳ１０６において、移動通信端末２は、ステップＳ１０６で通知された電話番号に対して発信を行う。この結果、移動通信網５へ呼設定要求が通知され、移動通信網５は、呼出信号を報知することで、移動通信端末４で着信が行われる。
【００３８】
ステップＳ１０７において、移動通信端末２，４間の呼が設定されて通話が行われる。
【００３９】
（エリアＩＤ送信装置）
次に、エリアＩＤ送信装置１の構成について説明する。エリアＩＤ送信装置１は、図２に示すように、アンテナ１０と、エリアＩＤ記憶部１１と、エリアＩＤ送信部１２とを備える。
【００４０】
エリアＩＤ記憶部１１はエリアＩＤを予め記憶している。エリアＩＤ送信部１２は、エリアＩＤ記憶部１１に記憶されたエリアＩＤを周期的に送信する。
【００４１】
（変換装置）
次に、変換装置３の構成について説明する。変換装置３は、図３（ａ）に示すように、変換テーブル記憶部３１と、受信部３２と、変換処理部３３と、送信部３４とを備える。
【００４２】
変換テーブル記憶部３１は、図３（ｂ）に示すように、エリアＩＤと電話番号とを対応づけた変換テーブルを記憶する。受信部３２は、移動通信端末２が取得したエリアＩＤを、移動通信端末２から受信する。変換処理部３３は、変換テーブルに基づき、受信部３２が受信したエリアＩＤに対応づけられた電話番号を取得する。送信部３４は、変換処理部３３が取得した電話番号を移動通信端末２へ送信する。
【００４３】
（移動通信端末）
次に、移動通信端末２の構成について説明する。移動通信端末２は、図４（ａ）に示すように、アンテナ２８と、送受信部２７と、通信制御部２６と、電話番号問合せ部２２と、エリアＩＤ記憶部２１と、エリアＩＤ取得部２０と、音声通信制御部２５と、音声入出力部２４と、操作部２３と、表示部２９とを備える。送受信部２７は、送信信号のアップコンバート等を行い、アンテナ２８から電波として送出する送信部２７ａと、アンテナ２８からの受信信号のダウンコンバート等を行う受信部２７ｂとを備えている。
【００４４】
音声入出力部２４は、スピーカ及びマイクを備え、音声を入出力する。音声通信制御部２５は、送信時には、音声入出力部２４からの音声信号をデジタル信号に変換し、デジタル信号を通信に適したタイミング、フォーマットに変換して、通信制御部２６に伝達する。音声通信制御部２５は、受信時には、通信制御部２６からの音声信号をデジタル／アナログ変換し、音声入出力部２４から出力する。
【００４５】
操作部２３は、発信時の相手電話番号を入力する数字キー、発呼の開始を指示する発呼開始キー、通話の終了を指示する通話終了キー等に対する入力操作を監視し、入力操作があった場合は直ちに通信制御部２６に通知する。表示部２９は例えば液晶表示装置（ＬＣＤ）であり、通信制御部２６の制御下で各種の情報を表示する。
【００４６】
エリアＩＤ取得部２０は、エリアＩＤ送信装置１からエリアＩＤを受信する。エリアＩＤ送信装置１としてＲＦタグを使用する場合、エリアＩＤ取得部２０としてはタグリーダが使用できる。エリアＩＤ取得部２０が取得したエリアＩＤは、エリアＩＤ記憶部２１に記憶される。
【００４７】
電話番号問合せ部２２は、エリアＩＤ取得部２０が取得したエリアＩＤに対応する電話番号を変換装置３に問合せるよう通信制御部２６に指示することで、変換装置３から電話番号を取得する。通信制御部２６は、移動通信端末２全体を制御すると共に、電話番号問合せ部２２が取得した電話番号を用いて発信を行う。
【００４８】
（エリアＩＤ受信処理）
次に、図４（ｂ）に示すフローチャートを参照して、図４（ａ）の移動通信端末２によるエリアＩＤ受信処理について説明する。
【００４９】
ステップＳ２０２において、エリアＩＤ取得部２０がエリアＩＤを受信するまでは、待ち状態となる。エリアＩＤ取得部２０がエリアＩＤを受信すると、ステップＳ２０３に移行する。
【００５０】
ステップＳ２０３において、エリアＩＤ取得部２０は、エリアＩＤを正しく受信できたか否かを判定する。エリアＩＤを正しく受信できた場合、ステップＳ２０４に移行する。エリアＩＤを正しく受信できない場合、ステップＳ２０５に移行する。
【００５１】
ステップＳ２０４において、エリアＩＤ取得部２０は、ステップＳ２０３で受信したエリアＩＤをエリアＩＤ記憶部２１に記憶する。その後、ステップＳ２０２に処理が戻る。
【００５２】
ステップＳ２０５において、エリアＩＤ取得部２０は、エリアＩＤ記憶部２１に、エリアＩＤを正しく受信できなかったことを示す「不定」の情報を記憶する。その後、ステップＳ２０２に処理が戻る。
【００５３】
このようにして、エリアＩＤの受信処理が実行される。なお、エリアＩＤ記憶部２１に記憶されるエリアＩＤが「不定」である場合には、エリア外であること、エリアＩＤが正しく受信できていないことを、表示部２９又は音声入出力部２４等によってユーザに通知しても良い。
【００５４】
（第１変形例）
上述した実施形態においては、図３（ａ）の変換テーブル記憶部３１が記憶する変換テーブルによって、１つのエリアＩＤに１つの電話番号が対応づけられている場合について説明した。本発明の実施形態の第１変形例として、図５に示すように、変換テーブル記憶部３１が、１つのエリアＩＤと複数の電話番号とを対応づけたユーザ情報を記憶する構成でも良い。図５の例においては、エリアＩＤと、電話番号と、この電話番号を使用するユーザに関する情報であるユーザ情報とが対応づけられている。
【００５５】
この場合、図３（ａ）の受信部３２が移動通信端末２からエリアＩＤを受信した場合、変換処理部は、そのエリアＩＤを複数の電話番号に変換する。また、送信部３４は、複数の電話番号を移動通信端末２に通知する。
【００５６】
一例として、複数の電話番号を通知された移動通信端末２においては、表示部２９等によって、操作部２３を用いて複数の電話番号のいずれか１つを選択するようにユーザに促す。通信制御部２６は、ユーザの選択操作によって選択された電話番号に対して発信処理を行う。このように、移動通信端末２に複数の電話番号を通知することにより、どの電話番号に発信するかをユーザが選択可能となり、利便性を向上させることができる。
【００５７】
あるいは、複数の電話番号を通知された移動通信端末２においては、通信制御部２６が、複数の電話番号を一旦記憶し、通話相手端末との接続が確立されるまで、逐次的に一連の電話番号に発信するよう構成されていても良い。通話相手端末が圏外又は通話中であるために、接続を確立できないと判断された場合には、自動的に他の電話番号を用いて発信を行うことにより、通話相手端末との接続を確実に確立することができる。
【００５８】
（第２変形例）
上述した実施形態においては、エリアＩＤ送信装置１が、エリアＩＤのみを送信する場合について説明した。本発明の実施形態の第２変形例として、図６に示すように、エリアＩＤ送信装置１が送信するエリアＩＤに電話番号が含まれていても良い。この場合、図２のエリアＩＤ記憶部１１には、エリアＩＤと電話番号が記憶される。なお、エリアＩＤ記憶部１１に記憶される電話番号は、上述した理由により、複数であってもかまわない。
【００５９】
一例として、エリアＩＤ送信装置１からエリアＩＤ及び電話番号を通知された移動通信端末２においては、通信制御部２６が、通知された電話番号に対して直ちに発信する。
【００６０】
このように、エリアＩＤ送信装置１が送信するエリアＩＤに電話番号が含まれる構成とすることにより、変換装置３を設置する必要が無くなるため、システム開発のコストを削減可能となる。
【００６１】
（第３変形例）
上述した実施形態においては、移動通信端末２が、エリアＩＤ送信装置１からエリアＩＤを受信する場合について説明した。本発明の実施形態の第３変形例として、図７に示すように、移動通信端末２が、ＧＰＳ（Global Positioning System）により位置情報を受信し、受信した位置情報からエリアＩＤを得るように構成されていても良い。
【００６２】
この場合、図４（ａ）のエリアＩＤ取得部は、例えばＧＰＳ受信器を備えていても良い。また、位置情報をエリアＩＤに変換する手段は、図４（ａ）のエリアＩＤ取得部２０に備えても良いし、図３（ａ）の変換装置３に備えていても良い。
【００６３】
位置情報をエリアＩＤに変換する変換手段を図４（ａ）のエリアＩＤ取得部２０に備える場合、この変換手段は、位置情報とエリアＩＤとを対応づけたテーブルを予め保持し、位置情報をエリアＩＤに変換する。
【００６４】
位置情報をエリアＩＤに変換する変換手段を図３（ａ）の変換装置３に備える場合、この変換手段は、位置情報とエリアＩＤとを対応づけたテーブルを変換テーブル３１に予め保持しておき、変換処理部３３は、移動通信端末２から送信された位置情報から、対応するエリアＩＤに変換し、次いでエリアＩＤから、対応する電話番号に変換して、移動通信端末２に送信する。
【００６５】
あるいは、移動通信端末２が、移動通信網５の基地局（図示省略）からの基地局情報をエリアＩＤとして使用しても良い。なお、移動通信端末２としてＰＨＳ端末等を使用する場合は、移動通信端末２は、現在どの基地局下の無線ゾーン内に在圏しているかをより厳密に把握可能となる。
【００６６】
このように、移動通信端末２が、ＧＰＳ又は基地局情報を用いてエリアＩＤを得ることにより、エリアＩＤ送信装置１を設置する必要が無くなるため、システム開発のコストを削減可能となる。
【００６７】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６８】
例えば、上述した実施形態においては、移動通信端末２と変換装置３が、移動通信網５を介して通信する一例を説明したが、無線ＬＡＮ、あるいはブルートゥース等の近距離無線通信を使用して、移動通信網５を介さずに変換装置３と直接的に無線通信する構成であってもかまわない。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００７０】
【図１】図１（ａ）は本発明の実施形態に係る通信システムの全体構成例を示す模式図であり、図１（ｂ）は本発明の実施形態に係る通信システムの全体動作例を示すシーケンス図である。
【図２】本発明の実施形態に係るエリアＩＤ送信装置の構成例を示すブロック図である。
【図３】図３（ａ）は本発明の実施形態に係る変換装置の構成例を示すブロック図であり、図３（ｂ）は本発明の実施形態に係る変換装置が保持する変換テーブルの構成例を示す図である。
【図４】図４（ａ）は本発明の実施形態に係る移動通信端末の構成例を示すブロック図であり、図４（ｂ）は本発明の実施形態に係る移動通信端末の受信処理フローを示すフローチャートである。
【図５】本発明の実施形態の第１変形例に係る変換テーブルの構成例を示す図である。
【図６】本発明の実施形態の第２変形例に係る通信システムの全体動作例を示すシーケンス図である。
【図７】本発明の実施形態の第３変形例に係る通信システムの全体動作例を示すシーケンス図である。
【符号の説明】
【００７１】
１…エリアＩＤ送信装置
２，４…移動通信端末
５…移動通信網
１０…アンテナ
１１…エリアＩＤ記憶部
１２…エリアＩＤ送信部
２０…エリアＩＤ取得部
２１…エリアＩＤ記憶部
２２…電話番号問合せ部
２３…操作部
２４…音声入出力部
２５…音声通信制御部
２６…通信制御部
２７…送受信部
２７ａ…送信部
２７ｂ…受信部
２８…アンテナ
２９…表示部
３１…変換テーブル記憶部
３２…受信部
３３…変換処理部
３４…送信部
【図１】
2007329871.tif 000003
【図２】
2007329871.tif 000004
【図３】
2007329871.tif 000005
【図４】
2007329871.tif 000006
【図５】
2007329871.tif 000007
【図６】
2007329871.tif 000008
【図７】
2007329871.tif 000009